(57)【要約】【課題】光デュオバイナリ方式において高分散時の特性を損なうことなくゼロ分散近傍の特性を改善する。【解決手段】光変調送信部１と、駆動信号処理部２と、光変調送信部１で強度変調される変調波形を、デュオバイナリ信号の中央値に対する変調光の強さを最小とし前記デュオバイナリ信号の他の２値に対する変調光の強さを最大とする第１変調波形か、または前記デュオバイナリ信号の中央値に対する変調光の強さを最大とし前記デュオバイナリ信号の他の２値に対する変調光の強さを最小とする第２変調波形のいずれかとなるように、光変調送信部１での変調動作を切り替える変調動作切替部３と、をそなえるように構成する。【選択図】図１
2007259286.tif 000002
【特許請求の範囲】
【請求項１】
デュオバイナリ信号をなす駆動電気信号により入力光を強度変調する光変調部と、
バイナリ信号について前記デュオバイナリ信号に符号変換し、駆動電気信号として該光変調部に供給する駆動信号処理部と、
前記強度変調された光が伝送される伝送経路が有する光伝送特性に応じて、該光変調部での動作点バイアスを切り替えるとともに、該駆動信号処理部に供給される前記バイナリ信号の極性を切り替えるように、該光変調部での変調動作を切り替える変調動作切替部と、をそなえたことを特徴とする、光送信装置。
【請求項２】
該変調動作切替部は、前記強度変調され送出された光が伝送される伝送経路が有する光伝送特性に応じて入力される変調動作切替信号に基づいて、該光変調部での変調動作を切り替えることを特徴とする、請求項１記載の光送信装置。
【請求項３】
該変調動作切替部が、
前記変調動作切替信号に応じて、該光変調部での動作点バイアスを切り替える動作点バイアス切替部と、
前記変調動作切替信号に応じて、該駆動信号処理部に供給される前記バイナリ信号の極性を切り替える送信データについての極性を切り替えるデータ極性切替部と、をそなえたことを特徴とする、請求項２記載の光送信装置。
【請求項４】
デュオバイナリ信号に基づいて強度変調された光信号を送信する光送信装置と、該光送信装置からの光信号を伝送経路を通じて受信する光受信装置と、をそなえてなる光伝送システムであって、
該光送信装置が、バイナリ信号についてデュオバイナリ信号に符号変換する駆動信号処理部と、該駆動信号処理部からの前記デュオバイナリ信号に基づいて入力光を強度変調して送信する光変調部と、該光受信装置からの変調動作切替信号に応じて、該光変調部での動作点バイアスを切り替えるとともに、該駆動信号処理部に供給される前記バイナリ信号の極性を切り替えるように、該光変調部での変調動作を切り替える変調動作切替部と、を有するとともに、
該光受信装置が、該光送信装置からの光信号について伝送経路を通じて受信し受信データとして出力する受信部と、前記受信データの符号誤り率を測定する誤り率測定部と、該光変調部における前記変調動作の切り替えにより強度変調されて送信された各光についての前記誤り率測定部における測定結果に基づいて該光送信装置における該光変調部での前記変調動作についての選択制御を行なう選択制御部と、をそなえたことを特徴とする、光伝送システム。
【請求項５】
該光送信装置の該変調動作切替部が、
前記変調動作切替信号に応じて、該光変調部での変調モードを、前記デュオバイナリ信号の中央値に対する変調光の強さを最小とし前記デュオバイナリ信号の他の２値に対する変調光の強さを最大とする第１モードか、または前記デュオバイナリ信号の中央値に対する変調光の強さを最大とし前記デュオバイナリ信号の他の２値に対する変調光の強さを最小とする第２モードのいずれかとなるように、該光変調部での動作点バイアスを切り替えるとともに、
該光変調部での変調モードを前記第１モードとする場合には、入力される前記バイナリ信号としての送信データについての正転データをそのまま該駆動信号処理部に出力するとともに、該光変調部で変調モードを前記第２モードとする場合には、入力される前記バイナリ信号としての送信データについての反転データを該駆動信号処理部に出力するように、該光変調部での変調動作を切り替える一方、
該選択制御部が、
前記第１および第２モードのいずれか一方の変調モードとする変調動作により強度変調された光信号についての、該誤り率測定部で測定される符号誤り率を一旦保持する第１保持部と、
前記第１および第２モードのいずれか他方の変調モードとする変調動作により強度変調された光信号についての、該誤り率測定部で測定される符号誤り率を一端保持する第２保持部と、
該第１保持部および該第２保持部に保持される符号誤り率を該誤り率測定部で測定すべく、該光送信装置の該変調動作切替部に対して該光変調部での変調動作を切り替えるための変調動作切替信号を出力する測定用切替信号出力部と、
該第１保持部および該第２保持部で保持された符号誤り率を比較する比較部と、
該比較部での比較結果に基づいて、前記符号誤り率が良好な側の変調モードを、該光変調部で強度変調すべき変調モードとして選択すべく、該変調動作切替部に対して選択用の変調動作切替信号を出力する選択用切替信号出力部と、をそなえ、
該光送信装置の該変調動作切替部は、前記測定用切替信号出力部又は選択用切替信号出力部からの変調動作切替信号に応じて、該光変調部での変調動作を切り替えることを特徴とする、請求項４記載の光伝送システム。
【発明の詳細な説明】
【技術分野】
【０００１】
本発明は、光送信装置および光伝送システムに関するものである。
【背景技術】
【０００２】
近年の光伝送システムにおいては、伝送容量の増大に伴って、周波数利用の効率化のために信号スペクトルの高密度化が進むとともに、波長分散に対するＯＳＮＲ（Optical Signal to Noise Ratio）耐力についてもより厳格な仕様が求められている。
光デュオバイナリ変調方式は、デュオバイナリ信号を用いて光強度を設定する光強度変調の方式である。この光デュオバイナリ変調方式は、ＮＲＺ（Non Return to Zero）変調方式に比べて、光強度変調信号のスペクトルを約半分に狭くすることができるだけでなく、分散耐力についても２倍以上に拡大させることができ、光ファイバの波長分散による伝送特性の劣化についても小さくすることができるという特徴を有している。このため、光伝送システムにおいて光変調を行なう際においては、光デュオバイナリ変調方式を適用する光モジュールを採用するようになってきている。
【０００３】
下記の特許文献１には、従来の光デュオバイナリ変調方式に関する技術について記載されている。この特許文献１に記載されたデュオバイナリ変調方式においては、２値のデータ信号をデュオバイナリ信号に符号変換するとともに、デュオバイナリ信号の中央値に対する光強度を最小とし他の２値に対して同じ光強度で互いに位相を反転させた光強度変調を行なうようになっている。
【０００４】
また、下記の特許文献２には、電極に印加される電圧差によって光強度が三角関数形で周期的に変化するマッハツェンダ光変調器において、光強度が“１”になるある電圧を中心として光強度が“０”になるＶπと−Ｖπとの間の電圧の電気信号を使用したり、光強度が“０”になるある電圧を中心として光強度が“１”になるＶπと−Ｖπとの間の電圧信号を使用したりする技術について記載されている。
【特許文献１】特開平８−１３９６８１号公報
【特許文献２】特開２０００−２４９９９４号公報
【発明の開示】
【発明が解決しようとする課題】
【０００５】
しかしながら、特許文献１および２のごとき従来の光デュオバイナリ変調方式では、例えば図１２のＡ１における分散量範囲Ｄ１に示すように、伝送路における波長分散値がゼロ近傍の値となっている場合は、ゼロ近傍の値から比較的離れている場合（分散量範囲Ｄ２参照）に比べて、ＯＳＮＲ耐力としては劣化する場合がある。
すなわち、従来の光デュオバイナリ変調方式では、伝送路長が比較的長距離であり、波長分散値がゼロ近傍の値から離れて高分散値となる場合（図１２のＡ１における分散量範囲Ｄ２参照）は、ＮＲＺ変調方式（図１２のＡ２参照）に比べて、分散耐力については良好な値とすることができる。反面、伝送路長が比較的短距離であり、波長分散値がゼロ分散値に近づく場合（図１２のＡ１における分散量範囲Ｄ１参照）には、波長分散値自体は減少するものの波長分散に対するＯＳＮＲ耐力がＮＲＺ変調方式よりも劣化する場合がある。
【０００６】
本発明は、このような課題に鑑み創案されたもので、光デュオバイナリ方式において高分散時の特性を損なうことなくゼロ分散近傍の特性を改善することを目的とする。
【課題を解決するための手段】
【０００７】
このため、本発明の光送信装置は、デュオバイナリ信号をなす駆動電気信号により入力光を強度変調する光変調部と、バイナリ信号について前記デュオバイナリ信号に符号変換し、駆動電気信号として該光変調部に供給する駆動信号処理部と、前記強度変調された光が伝送される伝送経路が有する光伝送特性に応じて、該光変調部での動作点バイアスを切り替えるとともに、該駆動信号処理部に供給される前記バイナリ信号の極性を切り替えるように、該光変調部での変調動作を切り替える変調動作切替部と、をそなえたことを特徴としている。
【０００８】
この場合においては、該変調動作切替部は、前記強度変調され送出された光が伝送される伝送経路が有する光伝送特性に応じて入力される変調動作切替信号に基づいて、該光変調部での変調動作を切り替えることとしてもよい。
また、該変調動作切替部が、前記変調動作切替信号に応じて、該光変調部での動作点バイアスを切り替える動作点バイアス切替部と、前記変調動作切替信号に応じて、該駆動信号処理部に供給される前記バイナリ信号の極性を切り替える送信データについての極性を切り替えるデータ極性切替部と、をそなえることとしてもよい。
【０００９】
さらに、本発明の光伝送システムは、デュオバイナリ信号に基づいて強度変調された光信号を送信する光送信装置と、該光送信装置からの光信号を伝送経路を通じて受信する光受信装置と、をそなえてなる光伝送システムであって、該光送信装置が、バイナリ信号についてデュオバイナリ信号に符号変換する駆動信号処理部と、該駆動信号処理部からの前記デュオバイナリ信号に基づいて入力光を強度変調して送信する光変調部と、該光受信装置からの変調動作切替信号に応じて、該光変調部での動作点バイアスを切り替えるとともに、該駆動信号処理部に供給される前記バイナリ信号の極性を切り替えるように、該光変調部での変調動作を切り替える変調動作切替部と、を有するとともに、該光受信装置が、該光送信装置からの光信号について伝送経路を通じて受信し受信データとして出力する受信部と、前記受信データの符号誤り率を測定する誤り率測定部と、該光変調部における前記変調動作の切り替えにより強度変調されて送信された各光についての前記誤り率測定部における測定結果に基づいて該光送信装置における該光変調部での前記変調動作についての選択制御を行なう選択制御部と、をそなえたことを特徴としている。
【００１０】
この場合において、該光送信装置の該変調動作切替部は、前記変調動作切替信号に応じて、該光変調部での変調モードを、前記デュオバイナリ信号の中央値に対する変調光の強さを最小とし前記デュオバイナリ信号の他の２値に対する変調光の強さを最大とする第１モードか、または前記デュオバイナリ信号の中央値に対する変調光の強さを最大とし前記デュオバイナリ信号の他の２値に対する変調光の強さを最小とする第２モードのいずれかとなるように、該光変調部での動作点バイアスを切り替えるとともに、該光変調部での変調モードを前記第１モードとする場合には、入力される前記バイナリ信号としての送信データについての正転データをそのまま該駆動信号処理部に出力するとともに、該光変調部で変調モードを前記第２モードとする場合には、入力される前記バイナリ信号としての送信データについての反転データを該駆動信号処理部に出力するように、該光変調部での変調動作を切り替える一方、該選択制御部を、前記第１および第２モードのいずれか一方の変調モードとする変調動作により強度変調された光信号についての、該誤り率測定部で測定される符号誤り率を一旦保持する第１保持部と、前記第１および第２モードのいずれか他方の変調モードとする変調動作により強度変調された光信号についての、該誤り率測定部で測定される符号誤り率を一端保持する第２保持部と、該第１保持部および該第２保持部に保持される符号誤り率を該誤り率測定部で測定すべく、該光送信装置の該変調動作切替部に対して該光変調部での変調動作を切り替えるための変調動作切替信号を出力する測定用切替信号出力部と、該第１保持部および該第２保持部で保持された符号誤り率を比較する比較部と、該比較部での比較結果に基づいて、前記符号誤り率が良好な側の変調モードを、該光変調部で強度変調すべき変調モードとして選択すべく、該変調動作切替部に対して選択用の変調動作切替信号を出力する選択用切替信号出力部と、をそなえるように構成し、該光送信装置の該変調動作切替部は、前記測定用切替信号出力部又は選択用切替信号出力部からの変調動作切替信号に応じて、該光変調部での変調動作を切り替えることとすることができる。
【発明の効果】
【００１１】
このように、本発明によれば、変調動作切替部により、強度変調された光が伝送される伝送経路が有する光伝送特性に応じて、光変調部での動作点バイアスを切り替えるとともに、駆動信号処理部に供給される前記バイナリ信号の極性を切り替えるように、光変調部での変調動作を切り替えることができるので、従来技術にかかるデュオバイナリ変調方式と比較して高分散値の伝送路でのＯＳＮＲ耐力を損なうことなく、ゼロ分散値近傍の分散特性を有する伝送路においてもＯＳＮＲ耐力を改善できるという利点がある。
【発明を実施するための最良の形態】
【００１２】
以下、図面を参照することにより、本発明の実施の形態について説明する。
なお、上述の本願発明の目的のほか、他の技術的課題，その技術的課題を解決する手段及び作用効果についても、以下の実施の形態による開示によって明らかとなる。
〔Ａ〕第１実施形態の説明
〔Ａ１〕構成
図１は本発明の第１実施形態にかかる光送信装置を示すブロック図である。この図１に示す光送信装置１０は、図３に示すようなメッシュ状の光ネットワーク１３を介して光受信装置２０と接続されて光伝送システム３０を構成するものである。そして、この光送信装置１０は、光デュオバイナリ変調方式によって送信データを光強度変調して、送信信号光として伝送路に送出しうるものであって、光変調部１，駆動信号処理部２，変調動作切替部３，記憶部４および制御部５をそなえている。
【００１３】
光変調部１は、デュオバイナリ信号をなす駆動電気信号により入力光を強度変調するものであり、マッハツェンダ形光変調器１ｂにより構成されている。マッハツェンダ形光変調器１ｂは、ニオブ酸リチウム等の誘電体基板にマッハツェンダ形光導波路１ｂ−１が形成されるとともに、マッハツェンダ形光導波路１ｂ−１をなすアーム導波路を伝搬する光に対し強度変調用の電界を与えるための電極１ｂ−２をそなえて構成することができる。
【００１４】
これにより、この電極１ｂ−２を通じて駆動電気信号が供給されることで、図示しない連続光光源等から入力される入力光が駆動電気信号に応じて強度変調されて、送信信号光として伝送路に送出することができるようになっている。
また、駆動信号処理部２は、バイナリ信号について前記デュオバイナリ信号に符号変換して駆動電気信号として光変調部１に供給するものであり、符号変換部２ａおよび駆動信号供給部２ｂをそなえて構成されている。符号変換部２ａは、バイナリ信号を入力されて、このバイナリ信号についてプリコード処理およびローパスフィルタ処理を施すことにより、符号変換処理を施すことにより、デュオバイナリ信号とするものである。
【００１５】
さらに、駆動信号供給部２ｂは、符号変換部２ａからのデュオバイナリ信号について、駆動電気信号として電極１ｂ−２に供給するためのものであり、符号変換部２ａからのデュオバイナリ信号についての直流成分をカットするための容量２ｂ−１をそなえるとともに、後述の動作点制御部３ｂからのバイアス電圧を上述のデュオバイナリ信号に重畳させる重畳部２ｂ−２をそなえている。
【００１６】
なお、図１中のマッハツェンダ形光変調器１ｂは、２本のアーム導波路のうちの一方側に、駆動信号処理部２からの駆動電気信号を供給するための電極１ｂ−２が形成されたシングル電極形の光変調器１ｂを構成しているが、双方のアーム導波路の側に駆動電気信号を供給するための電極を形成したデュアル電極形の光変調器とすることとしてもよい。
また、変調動作切替部３は、光変調部１で強度変調された光が伝送される伝送経路が有する光伝送特性、具体的には波長分散特性に応じて、光変調部１での動作点バイアスを切り替えるとともに、駆動信号処理部２に供給されるバイナリ信号の極性を切り替えるように、光変調部１での変調動作を切り替えるものであり、論理反転部３ａおよび動作点制御部３ｂをそなえている。
【００１７】
なお、変調動作切替部３をなす論理反転部３ａおよび動作点制御部３ｂにおける光変調部１での変調動作の切替は、後述する制御部５からの変調動作切替信号としての波形切替信号に基づいて行なわれるようになっている。そして、この制御部５からの変調動作切替信号は、光変調部１で強度変調された光が伝送される伝送経路が有する波長分散特性に応じたものである。
【００１８】
動作点制御部３ｂは、制御部５からの波形切替信号に応じて、光変調部１での動作点バイアスを切り替える動作点バイアス切替部である。具体的には、動作点制御部３ｂは、変調動作切替信号に応じて、光変調部１での変調モードを、デュオバイナリ信号の中央値に対する変調光の強さを最小としデュオバイナリ信号の他の２値に対する変調光の強さを最大とする第１モードか、または前記デュオバイナリ信号の中央値に対する変調光の強さを最大とし前記デュオバイナリ信号の他の２値に対する変調光の強さを最小とする第２モードのいずれかとなるように、光変調部1での動作点バイアスを切り替えるようになっている。
【００１９】
図２はマッハツェンダ形光変調器１ｂの駆動電圧に対する光変調特性を示す図である。この図２に示すように、マッハツェンダ形光変調器１ｂにおいては、強度変調される光の強度は、駆動電圧に応じてコサイン波形のごとく周期的に変化するようになっている。そして、デュオバイナリ変調方式においては、この図２における１周期分の電圧範囲Ｒ１における電圧点Ｐ１〜Ｐ３（光強度波形が山−谷−山となる箇所の電圧点）又は電圧範囲Ｒ２における電圧点Ｐ２〜Ｐ４（光強度波形が谷−山−谷となる箇所の電圧点）を動作点電圧として、デュオバイナリ符号に基づく駆動電気信号を供給することで強度変調が行なわれるようになっている。
【００２０】
このとき、動作点制御部３ｂにおいては、上述の波形切替信号に基づき、例えば図２に示す電圧範囲Ｒ１における中央値Ｐ２に相当する電圧Ｖ１をバイアス電圧としてマッハツェンダ形光変調器１ｂに供給することにより、光変調部１での変調モードを、電圧範囲Ｒ１における電圧点Ｐ１〜Ｐ３を動作点電圧とする変調モード（第１モード）とすることができる。
【００２１】
すなわち、この場合には、デュオバイナリ信号の中央値には、マッハツェンダ形光変調器１ｂの電極１ｂ−２への駆動電圧信号として、光強度波形の谷となる電圧点Ｐ２に相当する電圧値Ｖ１が、デュオバイナリ信号の他の２値に対しては、それぞれ山となる電圧点Ｐ１，Ｐ３が、それぞれ割り当てられる。これにより、マッハツェンダ形光変調器１ｂは、デュオバイナリ信号の中央値に対する変調光の強さを最小としデュオバイナリ信号の他の２値に対する変調光の強さを最大とする第１モードで動作することができるのである。
【００２２】
同様に、動作点制御部３ｂは、上述の波形切替信号に基づき、例えば図２に示す電圧範囲Ｒ２における中央値Ｐ３に相当する電圧Ｖ２をバイアス電圧としてマッハツェンダ形光変調器１ｂに供給することにより、光変調部１での変調モードを、電圧範囲Ｒ２における電圧点Ｐ２〜Ｐ４を動作点電圧とする変調モード（第２モード）とすることができる。
この場合には、デュオバイナリ信号の中央値には、マッハツェンダ形光変調器１ｂの電極１ｂ−２への駆動電圧信号として、光強度波形の山となる電圧点Ｐ３に相当する電圧値Ｖ２が、デュオバイナリ信号の他の２値に対しては、それぞれ谷となる電圧点Ｐ２，Ｐ４が、それぞれ割り当てられる。これにより、マッハツェンダ形光変調器１ｂは、デュオバイナリ信号の中央値に対する変調光の強さを最大としデュオバイナリ信号の他の２値に対する変調光の強さを最小とする第２モードで動作することができるのである。
【００２３】
また、変調動作切替部３の論理反転部３ａは、上述の変調動作切替信号に応じて、入力されるバイナリ信号としての送信データについての極性を切り替えて駆動信号処理部２に供給するデータ極性切替部である。具体的には、論理反転部３ａにおいては、上述の波形切替信号に応じて、光変調部１での変調モードを上述の第１モードとする場合には、送信電気信号として入力されるバイナリ信号としての送信データについての正転データを駆動信号処理部２に出力するとともに、光変調部１での変調モードを上述の第２モードとする場合には、バイナリ信号としての送信データについての反転データを駆動信号処理部２に出力するようになっている。
【００２４】
すなわち、動作点制御部３ｂにより、上述のごとくマッハツェンダ形光変調器１ｂの動作点電圧を切り替えると、変調波形が反転するようになるため、論理反転部３ａにおいて、デュオバイナリ信号に割り当てられた符号に対して強度変調される光強度についても反転する必要があるのである。
たとえば、論理反転部３ａでの波形切替信号に応じた符号論理の切り替えを行なわず、符号変換部２ａにおいて、デュオバイナリ信号の中央値に対して送信データの符号「０」が、デュオバイナリ信号の他の２値に対して送信データの符号「１」が、それぞれ割り当てられている場合を考える。
【００２５】
このとき、光変調部１での変調モードが、図２に示す電圧範囲Ｒ１における電圧点Ｐ１〜Ｐ３を動作点電圧とする第１モードの場合には、デュオバイナリ信号の中央値（符号「０」）に対しては、電圧点Ｐ２の駆動電圧が割り当てられるので、入力光はローレベルに強度変調される一方、デュオバイナリ信号の他の２値（符号「１」）に対してはそれぞれ電圧点Ｐ１，Ｐ３の駆動電圧が割り当てられるので、入力光はハイレベルに強度変調されることになる。従って、バイナリ信号の符号「０」，「１」に対応して、それぞれローレベル，ハイレベルの光強度で強度変調される。
【００２６】
これに対し、光変調部１での変調モードが、電圧範囲Ｒ２における電圧点Ｐ２〜Ｐ４を動作点電圧とする第２モードの場合には、バイナリ信号の符号「０」，「１」に対応した光の強度変調レベルが反転するので、バイナリ信号の符号「０」，「１」に対しそれぞれハイレベル，ローレベルとなり、電圧点Ｐ１〜Ｐ３を動作点電圧として場合に比べて光強度が反転して強度変調されることになる。
【００２７】
この場合には、光送信装置１０から送出された信号光を受信する光受信装置２０（図３参照）側において符号反転等の当該信号を受信する際の特別な信号処理が求められるようになる。そこで、このような受信側での特別な信号処理を必要としないようにするため、論理反転部３ａにおいて、デュオバイナリ信号に符号変換される対象となるバイナリ符号の送信データについて、変動動作切替信号（波形切替信号）にあわせてあらかじめ符号論理を切り替えているのである。
【００２８】
たとえば、上述したように符号変換部２ａにより、デュオバイナリ信号の中央値に対してバイナリ信号の符号「０」が、デュオバイナリ信号の他の２値に対してバイナリ信号の符号「１」が、それぞれ割り当てられる場合において、波形切替信号により、動作点制御部３ｂにおいて動作点電圧が電圧範囲Ｒ１から電圧範囲Ｒ２に切り替えられる場合には、論理反転部３ａでは、入力される送信データの極性を反転させ、反転させたバイナリ信号をデュオバイナリ信号への変換対象として符号変換部２ａに出力する。
【００２９】
すなわち、論理反転部３ａは、入力される送信データの符号が「０」のときは「１」に、「１」のときは「０」に、それぞれ反転させてから、符号変換部２ａに出力する。
記憶部４は、強度変調された光を伝送しうる伝送経路ごとに、第１又は第２変調波形のうちで設定すべき変調波形を記憶するものである。
たとえば、光送信装置１０と、当該光送信装置１０から送出される信号光を受信する光受信装置２０との間において図３に示すような接点ノード１２を介してメッシュ状のネットワーク１３が構築されている場合には、複数の伝送経路１１−１〜１１−ｎ（ｎは２以上の自然数）を設定することができるようになる。尚、図３中においては伝送経路１１−１，１１−２について図示している。
【００３０】
この場合においては、光送信装置１０と光受信装置２０との間で設定される伝送経路１１−１〜１１−ｎごとに、全体としての伝送経路長が異なってくると、各伝送経路１１−１〜１１−ｎが有する分散特性についても異なってくることが想定される。
そこで、記憶部４においては、光送信装置１０から光受信装置２０に対して設定されうる伝送経路１１−１〜１１−ｎごとに（各伝送経路１１−１〜１１−ｎが有する分散特性に応じて）設定すべき変調波形を記憶することができるようになっている。換言すれば、記憶部４においては、光受信装置２０との間で設定される伝送経路１１−１〜１１−ｎが有する分散特性に応じて、マッハツェンダ形光変調器１ｂで行なうべき変調動作の設定、即ち第１変調波形とする変調動作とするか又は第２変調波形とする変調動作とするかについて記憶されるようになっている。
【００３１】
制御部５は、当該光送信装置１０と光受信装置２０との間で信号光伝送のために設定される伝送経路１１−１〜１１−ｎについての情報を入力されて、この伝送経路１１−１〜１１−ｎを用いる場合の変調モード（第１モードか又は第２モード）を、記憶部４を参照することにより取り出し、取り出した変調モードに応じた波形切替信号を変調動作切替部３に出力するようになっている。
【００３２】
そして、変調動作切替部３においては、信号光伝送のために辿ることとなる伝送経路１１−１〜１１−ｎの波長分散特性に応じた変調動作切替信号を制御部５から入力され、この変調動作切替信号に基づき、動作点制御部３ｂで光変調部１での動作点バイアスを切り替えるとともに、論理反転部３ａで駆動信号処理部２に供給されるバイナリ信号の極性を切り替えて、光変調部１での変調動作を上述の第１モード又は第２モードで行なわれるようにしている。これにより、従来技術のデュオバイナリ変調方式に比べてＯＳＮＲ特性を後述のごとく改善させることができるようになる。
【００３３】
〔Ａ２〕作用効果
このように構成された光送信装置１０の制御部５では、光送信装置１０から光受信装置２０に対して信号光を伝搬させるために用いられる伝送経路１１−１〜１１−ｎの設定に基づいて、記憶部４を参照することにより、使用する伝送経路１１−１〜１１−ｎに応じた変調モードの設定（第１モード又は第２モード）を取得する。即ち、強度変調された光を伝送すべき伝送経路として特定された、伝送経路１１−１〜１１−ｎに応じた光変調部１での変調モードの設定を、記憶部４を参照することにより取得する。尚、制御部５においては、使用する伝送経路１１−１〜１１−ｎについての情報は、ネットワーク１３についての保守管理を行なう機能部から受け取ってもよいし、当該光送信装置１０における伝送経路の管理機能部から受け取るようにしてもよい。
【００３４】
そして、制御部５では、取得した変調モード設定に応じて、変調動作切替部３に対して波形切替信号を出力する。即ち、光変調部１での変調動作を、上述のごとく記憶部４を参照して取得した変調モード設定とすべく、変調動作切替部３に対して変調動作切替信号を出力する。
このとき、変調動作切替部３の論理反転部３ａでは、入力される送信電気信号についての論理を、制御部５からの波形切替信号に応じて正転／反転を切り替える。又、動作点制御部３ｂではマッハツェンダ形光変調器１ｂのバイアス電圧を、入力される波形切替信号に応じて切替設定する。
【００３５】
たとえば、変調モード設定を前述の第１モードとする波形切替信号が制御部５から入力された場合には、論理反転部３ａでは、入力される送信データの正転信号をデュオバイナリ信号への符号変換対象のバイナリ信号として符号変換部２ａに出力する一方、動作点制御部３ｂでは、マッハツェンダ光変調器１ｂへのバイアス電圧を例えば図２に示すＶ１に設定制御する。
【００３６】
また、変調モード設定を前述の第２モードとする波形切替信号が制御部５から入力された場合には、論理反転部３ａでは、入力される送信データの反転信号をデュオバイナリ信号への符号変換対象のバイナリ信号として符号変換部２ａに出力する一方、動作点制御部３ｂでは、マッハツェンダ光変調器１ｂへのバイアス電圧を例えば図２に示すＶ２に設定制御する。
【００３７】
これにより、マッハツェンダ形光変調器１ｂにおいては、動作点制御部３ｂで設定されたバイアス電圧により動作点電圧が設定されて、符号変換部２ａで符号変換されたデュオバイナリ信号に基づいて光変調が行なわれ、送信信号光として、複数経路のうちのいずれかの伝送経路１１−１〜１１−ｎを通じて光受信装置２０に送信される。
ところで、従来技術のデュオバイナリ変調方式で光伝送を行なう場合には、図１２に示すようにＮＲＺ変調方式で光伝送を行なう場合よりもＯＳＮＲ特性がゼロ分散値近傍において劣化する要因について、図４〜図７を用いて説明する。
【００３８】
ＮＲＺ変調方式においては、バイナリ信号に対するマッハツェンダ形光変調器の駆動点を、バイナリ符号の「０」，「１」に対応して、図２に示す駆動電圧に対する光変調特性の半周期の２点（例えばＰ２およびＰ３）に割り当てて強度変調するようになっており、図４（ａ）に示すように、光強度のハイレベルおよびローレベルにおいて、十分位相余裕を確保することができる（ローレベル側の位相余裕については図中のＡ参照）。
【００３９】
これに対し、通常のデュオバイナリ変調方式においては、デュオバイナリ信号に対するマッハツェンダ形光変調器の駆動点を、前述の図２の点Ｐ１〜Ｐ３に示すような光強度波形の山−谷−山の電圧点に割り当ているが、この場合には、光送信装置１０から送信する送信信号光は、図４（ｂ）のＢに示すように、光強度のローレベル近傍での位相余裕が極端に狭くなる。
【００４０】
したがって、光受信装置２０において、光送信装置１０からの送信信号光について受信信号処理を行なう際に、識別レベル〔図４（ｂ）のＣ参照〕についてのローレベル判定を行ないうるタイミング時間がＢに示す時間に制約されるため、良好なＯＳＮＲを保つ支障となるのである。尚、これらの図４（ａ），図４（ｂ）におけるＤ１，Ｄ２に示すように、ＮＲＺ変調方式やデュオバイナリ変調方式のどちらにおいても、通常ローレベル側よりもハイレベル側の信号光成分に、伝送経路中の光アンプでの増幅によるノイズ成分が多く含まれるので、通常、ハイレベルとローレベルの中間（５０パーセント）よりも低いレベルを識別レベルＣとして用いられる。
【００４１】
図５は、駆動点を山−谷−山の電圧点に割り当ててデュオバイナリ変調を行なう場合に、ローレベル側の位相余裕が狭くなることを説明するための図である。デュオバイナリ変調方式で光強度変調を行なう場合には、通常、マッハツェンダ形光変調器に供給する駆動電圧信号を生成するためには、前述の図１に示す符号変換部２ａに相当する信号処理が行なわれている。即ち、符号変換部２ａは、この図５に示すように、プリコーダ２ａ−１，増幅部２ａ−２およびローパスフィルタ２ａ−３をそなえることができる。尚、図中においては、符号変換部２ａおよびマッハツェンダ形光変調器１ｂ以外の光送信装置１０の構成要素（図１の符号２ｂ，３〜５参照）については図示を省略している。
【００４２】
プリコーダ２ａ−１は、論理反転部３ａから入力されるバイナリ信号について後段のローパスフィルタ出力から３値のデュオバイナリ信号を得るためのプリコード処理を行なう。又、増幅部２ａ−２は、プリコーダ２ａ−１から出力される電気信号について、動作点間隔に相当する振幅値変化を有する駆動電圧信号となるように増幅する。ローパスフィルタ２ａ−３は、増幅部２ａ−２からの駆動電圧信号についての高調波成分を除去してマッハツェンダ形光変調器１ｂを駆動するベースバンド信号帯域を制限する。これにより、マッハツェンダ形光変調器１ｂにおける駆動電気信号の周波数成分を、実質的にビットレートの４分の１程度に抑えることができるようになる。
【００４３】
このとき、ローパスフィルタ２ａ−３において帯域制限を行なう前段においては、図５におけるアイパターンＡに示すように、ローレベル側、ハイレベル側ともに位相余裕は十分に広い。しかしながら、ローパスフィルタ２ａ−３を通過すると、駆動電圧信号がなまるため、アイパターンは図５のＢのようになり、ローレベルおよびハイレベルの中間において交差する成分が現れる。
【００４４】
ローパスフィルタ２ａ−３により波形がなまった駆動電圧信号で、マッハツェンダ形光変調器１ｂにおいて山−谷−山の動作点配置［図２のＰ１〜Ｐ３、図６（ａ）に示す静特性参照］とした光デュオバイナリ変調を行なうと、出力光波形のアイパターンは、図５のＣ又は図６（ｂ）に示すようになる。この出力光波形のアイパターンＣをなすデータ領域（図５のＣ１参照）は、駆動電圧信号のアイパターンＢにおけるデータ領域のハイ側半分（図５のＢ１参照）を切り出した波形と実質的に対応することとなる。
【００４５】
すなわち、駆動電圧信号のアイパターンＢにおいては、ローレベルおよびハイレベルの中間において波形が交差する箇所Ｂ２が現れるが、このように波形が交差する箇所Ｂ２が光波形のローレベル側にそのまま現れてくるので（図５のＣ２参照）、ローレベル側での位相余裕が狭くなるのである。
ところが、ローパスフィルタ２ａ−３により波形がなまった同じ駆動電圧信号を用いる場合であっても、マッハツェンダ形光変調器１ｂにおいて谷−山−谷の動作点配置［図２のＰ２〜Ｐ４，図７（ａ）に示す静特性参照］とした光デュオバイナリ変調を行なうと、出力光波形のアイパターンは、図７（ｂ）に示すように、ローレベル側での位相余裕は広くなり、逆にハイレベル側での位相余裕が狭くなる。
【００４６】
すなわち、この図７（ｂ）に示す出力光波形のアイパターンをなすデータ領域は、駆動電圧信号のアイパターンＢにおけるデータ領域のロー側半分（図５のＢ３参照）を切り出した波形と実質的に対応することとなる。この場合においては、駆動電圧信号のアイパターンＢに現れる波形交差箇所Ｂ２が、光波形のハイレベル側にそのまま現れてくるので、ハイレベル側での位相余裕が狭くなる。
【００４７】
したがって、マッハツェンダ形光変調器１ｂにおいては、図２のＰ１〜Ｐ３または図６（ａ）に示すような山−谷−山の動作点配置とすることにより、前述の第１モードでデュオバイナリ変調動作を行なう場合においては、出力光波形としては図６（ｂ）に示すようにローレベル側の位相余裕が狭くなる。一方、図２のＰ２〜Ｐ４又は図７（ａ）に示すような谷−山−谷の動作点配置とすることにより、前述の第２モードでデュオバイナリ変調動作を行なう場合においては、出力波形としては図７（ｂ）に示すようにローレベル側の位相余裕を広げることができるようになる。
【００４８】
図８は、第１，第２モードによるデュオバイナリ変調動作を行なう場合の分散値に対するＯＳＮＲ耐力を示す図である。この図８におけるＡ１は、第１モードで変調を行なう場合における伝送路の分散値に応じたＯＳＮＲ耐力を示すものであり、Ａ２は第２モードで変調を行なう場合における伝送路の分散値に応じたＯＳＮＲ耐力を示すものである。
第１モードの場合には、従来技術の場合と同様、伝送路における波長分散値がゼロ近傍の値となっているときに、ゼロ近傍の値から比較的離れているときに比べてＯＳＮＲ耐力が劣化する。一方、第２モードの場合には、伝送路の分散値に対するＯＳＮＲ耐力としては、前述のＮＲＺ変調方式によるものとほぼ同様の特性を得ることができる。即ち、伝送路における波長分散値がゼロ近傍の値となっているときにおいては、第１モードで変調を行なう場合よりも、第２モードで変調を行なう方が、良好なＯＳＮＲ耐力の特性を得ることができる。
【００４９】
そこで、第１実施形態における光送信装置１０においては、光受信装置２０との間における信号光伝搬のために用いられる伝送経路１１−１〜１１−ｎの分散特性に基づいて、分散特性が図８のＢ２に示すようなゼロ分散値近傍の範囲では、第２モードで変調を行なうべく、変調動作切替部３では変調送信部１での変調動作を切り替える一方、分散特性が図８のＢ１，Ｂ３に示すようなゼロ分散値から離れた範囲では、第１モードで変調を行なうべく、変調動作切替部３では変調送信部１での変調動作を切り替えている。
【００５０】
すなわち、図３に示すように、当該光送信装置１０と光受信装置２０との間で信号光の伝送路として複数の伝送経路１１−１〜１１−ｎ（ｎは２以上の自然数）が設定できる場合には、各伝送経路１１−１〜１１−ｎにおける分散特性を測定しておく。例えば、各伝送経路１１−１〜１１−ｎを通じて信号光を伝送した場合における残留分散値を測定する。
【００５１】
そして、残留分散値の測定結果が、図８のＢ２に示す分散値範囲に相当する場合には、マッハツェンダ形変調器１ｂでの変調動作を第２モードとする設定とする一方、図８のＢ１，Ｂ３に示す分散値範囲に相当する場合には、マッハツェンダ形変調器１ｂでの変調動作を第１モードとする設定とする旨を、各伝送経路１１−１〜１１−ｎに対応付けて記憶しておく。
【００５２】
これにより、制御部５においては、信号光伝送に用いるために特定された伝送経路１１−１〜１１−ｎに応じたマッハツェンダ形光変調器１ｂの変調動作の設定を、記憶部４を参照することにより取得することができ、変調動作切替部３に対して波形切替信号を出力することができる。
このように、第１実施形態にかかる光送信装置１０によれば、変調動作切替部３をそなえているので、従来技術にかかるデュオバイナリ変調方式と比較して高分散値の伝送路でのＯＳＮＲ耐力を損なうことなく、ゼロ分散値近傍の分散特性を有する伝送路においてもＯＳＮＲ耐力を改善できるという利点がある。
【００５３】
〔Ｂ〕第２実施形態の説明
図９は本発明の第２実施形態にかかる光伝送システム３０Ａを示すブロック図である。この図９に示す光伝送システム３０Ａにおいては、前述の第１実施形態の場合と異なり、光受信装置２０Ａ側において、受信信号光の誤り率を計算する機能と、光送信装置１０Ａからの送信信号光における変調モード設定を選択する機能と、を有しているが、光送信装置１０Ａと光受信装置２０Ａとの間は、前述の第１実施形態の場合と同様のネットワーク１３により接続されている。尚、図９中、図１と同一の符号は、ほぼ同様の部分を示している。
【００５４】
このような構成を有する光伝送システム３０Ａにおいては、光受信装置２０Ａにおいて、光送信装置１０Ａの変調動作切替部３に対し波形切替信号を出力することができるようになっている。従って、第２実施形態における光送信装置１０Ａでは、予め伝送経路１１−１〜１１−ｎ毎に測定された残留分散値に応じて変調モード設定について光送信装置１０Ａにおいて記憶しておく必要がないため、前述の図１に示す記憶部４および制御部５としての構成については省略することが可能となる。
【００５５】
なお、光送信装置１０Ａにおけるその他の構成については、前述の第１実施形態の場合と基本的に同様である（符号１〜３参照）。ただし、この場合における光送信装置１０Ａの変調動作切替部３は、光受信装置２０Ａからの変調動作切替信号に応じて、動作点制御部３ｂで光変調部１での動作点電圧を切り替えるとともに、論理反転部３ａで駆動信号処理部２に供給されるバイナリ信号の極性を切り替えることにより、光変調部１での変調動作第１モードまたは第２モードに切り替えるようになっている。
【００５６】
また、第２実施形態における光受信装置２０Ａは、光送信装置１０Ａからの光信号を伝送経路１１−１〜１１−ｎを通じて受信するとともに、上述の波形切替信号を出力できるようにするため、Ｏ／Ｅ（Optical/Electrical）変換部２１，識別器２２，誤り率測定部２３および選択制御部２４をそなえている。
Ｏ／Ｅ変換部２１は、伝送経路１１−１を受信される光送信装置１０Ａからの光信号について電気信号に変換するものであり、識別器２２は、Ｏ／Ｅ変換部２１からの電気信号について識別レベルとの大小判定を行なうことを通じて、光送信装置１０Ａにおいて強度変調された送信データを受信データとして再生するためのものである。したがって、上述のＯ／Ｅ変換部２１および識別器２２により、光送信装置１０Ａからの光信号について伝送経路１１−１〜１１−ｎを通じて受信し受信データとして出力する受信部を構成する。
【００５７】
さらに、誤り率測定部２３は、識別器２２で再生された受信データについての誤り訂正を行なうとともに、符号誤り率を測定するものである。尚、誤り率測定部２３においては誤り訂正処理が施された受信データについては受信信号として出力される一方、測定された符号誤り率については選択制御部２４へ出力されるようになっている。
また、選択制御部２４は、誤り率測定部２３からの符号誤り率に基づいて光送信装置１０Ａにおける光変調部１での変調動作を切替制御するための波形切替信号を変調波形切替部３に出力するものである。換言すれば、選択制御部２４は、光変調部１における変調動作の切り替えにより第１および第２モードで強度変調されて送信された各光についての誤り率測定部２３における測定結果に基づいて、光送信装置１０Ａにおける光変調部１での変調動作についての選択制御を行なう。
【００５８】
ここで、選択制御部２４は、図１０に示すように、第１保持部２４ａ，第２保持部２４ｂ，測定用切替信号出力部２４ｃ，比較部２４ｄおよび選択用切替信号出力部２４ｅをそなえて構成されている。
第１保持部２４ａは、光送信装置１０Ａの光変調部１において、第１および第２モードのいずれか一方の変調モードで強度変調された光信号についての、誤り率測定部２３で測定される符号誤り率を一旦保持するものである。又、第２変調部２４ｂは、上述の第１および第２モードのいずれか他方の変調モードで強度変調された光信号についての、誤り率測定部２３で測定される符号誤り率を一端保持するものである。
【００５９】
さらに、測定用切替信号出力部２４ｃは、第１保持部２４ａおよび第２保持部２４ｂに保持される符号誤り率を誤り率測定部２３で測定すべく、光送信装置１０Ａの変調動作切替部３に対して光変調部１での変調動作を切り替えるための変調動作切替信号を出力するものである。
具体的には、測定用切替信号出力部２４ｃにおいては、光送信装置１０Ａとの間で光信号の伝送経路が設定される場合において、実際のデータ信号のやり取りに先立って、光送信装置１０Ａに対して第１の誤り率測定用の変調動作切替信号を出力することにより、光送信装置１０Ａから第１および第２モードのいずれか一方で強度変調された第１の誤り率測定用の光信号を送信させる。これにより、第１保持部２４ａでは、上述の第１の誤り率測定用の光信号についての符号誤り率の測定結果を保持することができる。
【００６０】
ついで、第１保持部２４ａにおいて符号誤り率を保持すると、次に、測定用切替信号出力部２４ｃにおいて第２の測定用の変調動作切替信号を出力することにより、光送信装置１０Ａから第１および第２モードのいずれか他方で強度変調された第２の誤り率測定用の光信号を送信させる。これにより、第２保持部２４ｂでは、上述の第２の誤り率測定用の光信号についての符号誤り率の測定結果を保持することができる。
【００６１】
また、比較部２４ｄは、第１保持部２４ａおよび第２保持部２４ｂで保持された符号誤り率を比較するものであり、この比較結果により、当該伝送経路において符号誤り率が良好な側の変調モードを特定することができる。そして、選択用切替信号出力部２４ｅは、比較部２４ｄでの比較結果に基づいて、符号誤り率が良好な側の変調モードを、光変調部１で強度変調すべき変調モードとして選択すべく、変調動作切替部３に対して選択用の変調動作切替信号を出力するものである。
【００６２】
なお、上述の測定用切替信号出力部２４ｃおよび選択用切替信号出力部２４ｅは、光送信装置１０Ａに対する変調動作切替信号を、例えば当該光信号用の伝送経路１１−１〜１１−ｎを通じて制御用の信号光によって与えることとしてもよいし、他の電気信号用の伝送路を通じて制御用の電気信号によって与えることもできる。又、このような変調動作切替信号を受けた光送信装置１０Ａの変調動作切替部３では、前述の第１実施形態の場合と同様に、入力された誤り率測定用又は選択用の変調動作切替信号に応じて、光変調部１での変調動作を切り替えることができる。
【００６３】
上述のごとく構成された第２実施形態にかかる光伝送システム３０Ａでは、使用するいずれかの伝送経路１１−１〜１１−ｎについての初期設定を行なう時に、光受信装置２０Ａにおいて、当該伝送経路１１−１〜１１−ｎを伝搬する信号光の符号誤り率の測定を行なうとともに、その測定結果に基づいて、デュオバイナリ信号における変調モードを第１モードとするか、第２モードとするかを選択することができる。
【００６４】
すなわち、いずれかの伝送経路１１−１〜１１−ｎを通じた信号通信に先立って、当該使用する伝送経路１１−１〜１１−ｎの初期設定を行なう。このとき、光受信装置２０Ａの選択制御部２４を構成する測定用切替信号出力部２４ｃからの変調動作切替信号を通じ、光送信装置１０Ａからの信号光の変調モードを第１モードと第２モードとで切り替える。そして、比較部２４ｄおよび選択用切替信号出力部２４ｅにより、２つの変調モードのうちで誤り率が低い方を光送信装置１０Ａの変調モードとする設定を行なう。
【００６５】
このように、本発明の第２実施形態にかかる光伝送システム３０Ａによれば、前述の第１実施形態の場合と同様、光送信装置１０Ａに変調動作切替部３をそなえているので、従来技術にかかるデュオバイナリ変調方式と比較して高分散値の伝送路でのＯＳＮＲ耐力を損なうことなく、ゼロ分散値近傍の分散特性を有する伝送路においてもＯＳＮＲ耐力を改善できるという利点があるほか、光送信装置１０Ａおよび光受信装置２０Ａ間において新規に伝送経路が追加設定される場合においても、当該伝送経路の初期設定を行なうときに、光受信装置２０Ａおよび光送信装置１０Ａとの間の信号のやり取りを通じ、符号誤り率の測定結果に従った最適な変調モードを選択することができる。
【００６６】
〔Ｂ１〕第２実施形態の変形例の説明
図１１は本発明の第２実施形態の変形例にかかる光受信装置２０Ｂを示すブロック図である。この図１１に示す光受信装置２０Ｂは、前述の図９に示す光受信装置２０Ａに比して、識別点調整部２５が付加されている点が異なっており、それ以外の構成については、図９に示す光受信装置２０Ａと基本的に同様である。尚、図１１中において、図９と同一の符号はほぼ同様の部分を示している。
【００６７】
識別点調整部２５は、誤り率測定部２３における符号誤り率の測定結果に基づいて、識別器２２での識別点（スレッショルドレベル又は位相）について、誤り率がもっとも低くなるような識別点のフィードバック制御を行なうものである。
すなわち、誤り率測定部２３においては、第１モードおよび第２モードを変調モードとした誤り率測定用の光信号について、上述の識別点調整部２２での識別点調整が行なわれている下で誤り率が測定される。そして、選択制御部２４においても、この識別点調整が行なわれている下で良好な側の誤り率を持つ変調モードを選択している。これにより、前述の第２実施形態の場合と同様の利点があるほか、識別点調整部２５により、光受信装置２０Ｂでの受信信号品質をより向上させることができる。
【００６８】
〔Ｃ〕その他
上述した実施形態にかかわらず、本発明の趣旨を逸脱しない範囲において種々変形して実施することが可能である。
その他、上述した実施形態の開示により、当業者は本発明の装置を製造することは可能である。
【００６９】
〔Ｄ〕付記
（付記１）
デュオバイナリ信号をなす駆動電気信号により入力光を強度変調する光変調部と、
バイナリ信号について前記デュオバイナリ信号に符号変換し、駆動電気信号として該光変調部に供給する駆動信号処理部と、
前記強度変調された光が伝送される伝送経路が有する光伝送特性に応じて、該光変調部での動作点バイアスを切り替えるとともに、該駆動信号処理部に供給される前記バイナリ信号の極性を切り替えるように、該光変調部での変調動作を切り替える変調動作切替部と、をそなえたことを特徴とする、光送信装置。
【００７０】
（付記２）
該光変調部は、マッハツェンダ型光変調器をそなえたことを特徴とする、付記１記載の光送信装置。
（付記３）
該変調動作切替部は、前記強度変調され送出された光が伝送される伝送経路が有する光伝送特性に応じて入力される変調動作切替信号に基づいて、該光変調部での変調動作を切り替えることを特徴とする、付記１記載の光送信装置。
【００７１】
（付記４）
該変調動作切替部が、
前記変調動作切替信号に応じて、該光変調部での動作点バイアスを切り替える動作点バイアス切替部と、
前記変調動作切替信号に応じて、該駆動信号処理部に供給される前記バイナリ信号の極性を切り替える送信データについての極性を切り替えるデータ極性切替部と、をそなえたことを特徴とする、付記３記載の光送信装置。
【００７２】
（付記５）
該動作点バイアス切替部は、前記変調動作切替信号に応じて、該光変調部での変調モードを、前記デュオバイナリ信号の中央値に対する変調光の強さを最小とし前記デュオバイナリ信号の他の２値に対する変調光の強さを最大とする第１モードか、または前記デュオバイナリ信号の中央値に対する変調光の強さを最大とし前記デュオバイナリ信号の他の２値に対する変調光の強さを最小とする第２モードのいずれかとなるように、該光変調部での動作点バイアスを切り替えることを特徴とする、付記４記載の光送信装置。
【００７３】
（付記６）
該データ極性切替部が、前記変調動作切替信号に応じて、該光変調部での変調モードを前記第１モードとする場合には、入力される前記バイナリ信号としての送信データについての正転データをそのまま該駆動信号処理部に出力するとともに、該光変調部で変調モードを前記第２モードとする場合には、入力される前記バイナリ信号としての送信データについての反転データを該駆動信号処理部に出力するように構成されたことを特徴とする、付記４記載の光送信装置。
【００７４】
（付記７）
前記強度変調された光を伝送しうる伝送経路ごとに、前記第１又は第２モードのうちで設定すべき変調モードを記憶する記憶部と、
前記強度変調された光を伝送すべき伝送経路として特定された伝送経路に応じた該光変調部での変調モードの設定を、該記憶部を参照することにより取得するとともに、該光変調部での変調動作を前記取得した設定とすべく、該変調動作切替部に対して前記変調動作切替信号を出力する制御部と、をそなえたことを特徴とする、付記３記載の光送信装置。
【００７５】
（付記８）
デュオバイナリ信号に基づいて強度変調された光信号を送信する光送信装置と、該光送信装置からの光信号を伝送経路を通じて受信する光受信装置と、をそなえてなる光伝送システムであって、
該光送信装置が、バイナリ信号についてデュオバイナリ信号に符号変換する駆動信号処理部と、該駆動信号処理部からの前記デュオバイナリ信号に基づいて入力光を強度変調して送信する光変調部と、該光受信装置からの変調動作切替信号に応じて、該光変調部での動作点バイアスを切り替えるとともに、該駆動信号処理部に供給される前記バイナリ信号の極性を切り替えるように、該光変調部での変調動作を切り替える変調動作切替部と、を有するとともに、
該光受信装置が、該光送信装置からの光信号について伝送経路を通じて受信し受信データとして出力する受信部と、前記受信データの符号誤り率を測定する誤り率測定部と、該光変調部における前記変調動作の切り替えにより強度変調されて送信された各光についての前記誤り率測定部における測定結果に基づいて該光送信装置における該光変調部での前記変調動作についての選択制御を行なう選択制御部と、をそなえたことを特徴とする、光伝送システム。
【００７６】
（付記９）
該光送信装置の該変調動作切替部が、
前記変調動作切替信号に応じて、該光変調部での変調モードを、前記デュオバイナリ信号の中央値に対する変調光の強さを最小とし前記デュオバイナリ信号の他の２値に対する変調光の強さを最大とする第１モードか、または前記デュオバイナリ信号の中央値に対する変調光の強さを最大とし前記デュオバイナリ信号の他の２値に対する変調光の強さを最小とする第２モードのいずれかとなるように、該光変調部での動作点バイアスを切り替えるとともに、
該光変調部での変調モードを前記第１モードとする場合には、入力される前記バイナリ信号としての送信データについての正転データをそのまま該駆動信号処理部に出力するとともに、該光変調部で変調モードを前記第２モードとする場合には、入力される前記バイナリ信号としての送信データについての反転データを該駆動信号処理部に出力するように、該光変調部での変調動作を切り替える一方、
該選択制御部が、
前記第１および第２モードのいずれか一方の変調モードとする変調動作により強度変調された光信号についての、該誤り率測定部で測定される符号誤り率を一旦保持する第１保持部と、
前記第１および第２モードのいずれか他方の変調モードとする変調動作により強度変調された光信号についての、該誤り率測定部で測定される符号誤り率を一端保持する第２保持部と、
該第１保持部および該第２保持部に保持される符号誤り率を該誤り率測定部で測定すべく、該光送信装置の該変調動作切替部に対して該光変調部での変調動作を切り替えるための変調動作切替信号を出力する測定用切替信号出力部と、
該第１保持部および該第２保持部で保持された符号誤り率を比較する比較部と、
該比較部での比較結果に基づいて、前記符号誤り率が良好な側の変調モードを、該光変調部で強度変調すべき変調モードとして選択すべく、該変調動作切替部に対して選択用の変調動作切替信号を出力する選択用切替信号出力部と、をそなえ、
該光送信装置の該変調動作切替部は、前記測定用切替信号出力部又は選択用切替信号出力部からの変調動作切替信号に応じて、該光変調部での変調動作を切り替えることを特徴とする、付記８記載の光伝送システム。
【図面の簡単な説明】
【００７７】
【図１】本発明の第１実施形態にかかる光送信装置を示すブロック図である。
【図２】マッハツェンダ形光変調器の駆動電圧に対する光変調特性を示す図である。
【図３】第１実施形態における光送信装置をそなえて構成される光伝送システムを示す図である。
【図４】（ａ），（ｂ）はともに従来技術のデュオバイナリ変調方式で光伝送を行なう場合にＯＳＮＲ特性がゼロ分散値近傍において劣化する要因について説明するための図である。
【図５】従来技術のデュオバイナリ変調方式で光伝送を行なう場合にＯＳＮＲ特性がゼロ分散値近傍において劣化する要因について説明するための図である。
【図６】（ａ），（ｂ）はともに従来技術のデュオバイナリ変調方式で光伝送を行なう場合にＯＳＮＲ特性がゼロ分散値近傍において劣化する要因について説明するための図である。
【図７】（ａ），（ｂ）はともに従来技術のデュオバイナリ変調方式で光伝送を行なう場合にＯＳＮＲ特性がゼロ分散値近傍において劣化する要因について説明するための図である。
【図８】第１，第２モードによるデュオバイナリ変調動作を行なう場合の分散値に対するＯＳＮＲ耐力を示す図である。
【図９】本発明の第２実施形態にかかる光伝送システムを示すブロック図である。
【図１０】第２実施形態における光受信装置の要部構成を示すブロック図である。
【図１１】第２実施形態の変形例にかかる光受信装置を示すブロック図である。
【図１２】従来技術のデュオバイナリ変調方式で光伝送を行なう場合にＯＳＮＲ特性がゼロ分散値近傍において劣化することについて説明するための図である。
【符号の説明】
【００７８】
１    光変調部
１ｂ    マッハツェンダ形光変調器
１ｂ−１    マッハツェンダ形光導波路
１ｂ−２    電極
２    駆動信号処理部
２ａ    符号変換部
２ａ−１    プリコーダ
２ａ−２    増幅部
２ａ−３    ローパスフィルタ
２ｂ    駆動信号供給部
２ｂ−１    容量
２ｂ−２    重畳部
３    変調動作切替部
３ａ    論理反転部
３ｂ    動作点制御部
４    記憶部
５    制御部
１０，１０Ａ    光送信装置
１１−１〜１１−ｎ    伝送経路
１２    接点ノード
１３    光ネットワーク
２０，２０Ａ，２０Ｂ    光受信装置
２１    Ｏ／Ｅ変換部
２２    識別器
２３    誤り率測定部
２４    選択制御部（選択制御部）
２４ａ    第１保持部
２４ｂ    第２保持部
２４ｃ    測定切替信号出力部
２４ｄ    比較部
２４ｅ    選択用切替信号出力部
２５    識別点調整部
３０，３０Ａ    光伝送システム
【図１】
2007259286.tif 000003
【図２】
2007259286.tif 000004
【図３】
2007259286.tif 000005
【図４】
2007259286.tif 000006
【図５】
2007259286.tif 000007
【図６】
2007259286.tif 000008
【図７】
2007259286.tif 000009
【図８】
2007259286.tif 000010
【図９】
2007259286.tif 000011
【図１０】
2007259286.tif 000012
【図１１】
2007259286.tif 000013
【図１２】
2007259286.tif 000014